(57)【要約】【課題】従来の構成では、何らかのイベントが発生し、監視映像に変化があったとしても、受信側でそれを検知するには、圧縮された符号化ストリームを復号化してからでないと確認することが難しいという問題があった。【解決手段】イントラ予測部と、動き補償予測部とを適応的に切替えて参照予測画像を生成する画像圧縮伸張装置において、所定単位時間内に生成される前記参照予測画像が前記どちらの予測部を用いて生成されたものであるかを示す識別フラグを累積し、前記識別フラグの増減を予測選択情報として符号化ストリームのヘッダに付加して送信する構成とする。【選択図】図１
2010166489.tif 000002
【特許請求の範囲】
【請求項１】
イントラ予測部と、動き補償予測部とを適応的に切替えて参照予測画像を生成する画像圧縮伸張装置において、所定単位時間内に生成される前記参照予測画像が前記どちらの予測部を用いて生成されたものであるかを示す識別フラグを累積し、前記識別フラグの増減を予測選択情報として符号化ストリームのヘッダに付加して送信することを特徴とする画像圧縮伸張装置。
【請求項２】
イントラ予測部と動き補償予測部を適応的に切替えて参照予測画像を生成する符号化方式を用いた遠隔監視システムにおいて、受信した符号化ストリームを復号処理することなく監視画像の時間軸方向の変化の有無を検出する手段を具備することを特徴とする画像圧縮伸張装置。
る圧縮伸張装置。
【発明の詳細な説明】
【技術分野】
【０００１】
本発明は、画像圧縮伸張装置に係り、特に、イントラ予測部と、動き補償予測部とを適応的に切替えて参照予測画像を生成する画像圧縮伸張装置に関する。
【背景技術】
【０００２】
映像監視分野では、昼間、夜間を問わず監視映像を２４時間、遠隔モニタするようなシステムが普及している。
【０００３】
例えば、交通状況を監視する交差点や夜間人通りのまばらな場所に設置された監視カメラから、モニタリングを行うセンタに監視映像を送信する場合、監視映像はＦＰＵ（Field Pickup Unit）等の中継伝送装置、あるいはネットワーク等の伝送路を使ってセンタに送信される。
【０００４】
このような中継伝送装置、あるいはネットワーク等の伝送路は、送信されるチャンネルで使用可能な伝送路の帯域幅が制限されているため、監視カメラ側で撮影した映像を中継伝送装置、あるいは伝送路が許容する伝送ビットレートまで圧縮して送っているのが一般的である。
【０００５】
これら監視映像の圧縮にはＭＰＥＧ−２やＨ．２６４符号化方式が採用されている。
【０００６】
ＭＰＥＧ−２やＨ．２６４符号化方式は符号化の際、イントラ予測部と、動き補償予測部とを使って参照予測画像を生成する。イントラ予測とは、フレーム間予測を用いないマクロブロックに対して、上側や左側に隣接する隣接画素をもとに予測画像信号を生成し、その予測画像信号との差分を符号化する予測方法である。
【０００７】
また、動き補償予測とは、時間軸方向に前後するフレームを探索して必要な予測画像信号を生成し、入力画像とその予測画像信号との差分を符号化する方法である。
【０００８】
イントラ予測による符号化ピクチャをＩピクチャ、また、動き補償予測を使って符号化したピクチャをＰピクチャ、Ｂピクチャ（時間軸方向に前後の参照予測画像をもとに符号化したピクチャをＢピクチャ、それ以外をＰピクチャ）と呼び、ＩＰＢと呼ばれる符号化ピクチャ構造を持つ上記符号化方式は、動画に適した符号化方式とされている。
【０００９】
符号化ピクチャ構造を決定するイントラ予測部と、動き補償予測部との切替え制御は、設定ビットレートをもとに、一定の周期でイントラピクチャが挿入されるようにイントラ予測部を周期的に選択したり、あるいは入力画像をもとに動きベクトルを算出し、動きが少ないシーンでは優先的に前後のフレームを使った長い予測間隔（動き補償予測部）を、一方、動きが激しいシーンでは、フレーム内の短い予測間隔（イントラ予測部）を優先的に選択し、入力画像のシーンに合わせて効率的に符号化ピクチャ構造を変更する方法がとられている。
【００１０】
また、受信側の復号化においては、参照予測画像の生成の際に、選択される予測部が送信側と一致するように受信した符号化ストリームのヘッダ解析を行い、イントラ予測部と動き補償予測部とを適応的に切替えている。
【００１１】
このように、ＭＰＥＧ−２やＨ．２６４符号化方式を使った遠隔監視システムでは、監視時の画像変化を検知するために、一度、受信側で復号処理を行っており、監視映像の保存を行う場合には、目視確認後に、データ量の削減のため再び圧縮した符号化ストリームに圧縮処理を行い、データーサーバーに保存している。
【先行技術文献】
【特許文献】
【００１２】
【特許文献１】特開２００２−２６２７３号公報
【発明の概要】
【発明が解決しようとする課題】
【００１３】
例えば、このような監視カメラシステムの例として、特許文献１には、ディジタルデータ圧縮を使用したディジタル監視システムにおいて、映像信号をデータ圧縮するデータ圧縮部に、侵入者または進入物を検知する検出手段と、映像信号のデータ圧縮時のフレームレートおよびピクチャ構成を変更できる可変データ圧縮手段と、前記検出手段の信号に応じて前記可変データ圧縮手段のエンコード形式を変更する制御手段と、を設け、前記検出手段により侵入者又は侵入物が検出されない場合に、前記可変データ圧縮手段のデータ圧縮のフレームレートを下げ、このフレームレートに最適なピクチャ構成によりデータ圧縮を行うように制御し、前記可変データ圧縮手段により出力されるデータ圧縮後の映像データを記録手段に供給して、記録するように構成したディジタル監視システムが、特許文献１に提案されている。
【００１４】
前述した従来例の構成では、何らかのイベントが発生し、監視映像に変化があったとしても、受信側でそれを検知するには、圧縮された符号化ストリームを復号化してからでないと確認することが難しいという問題があった。また、特許文献１においても、圧縮後のデータを記録した記録手段からの映像を再生する際には、復号化してからでないと確認することが難しく、直ぐには受信側で確認することができない。
【００１５】
そこで、本発明の目的は、イントラ予測部と、動き補償予測部を適応的に切替えて参照予測画像を生成する符号化方式を用い監視映像を遠隔監視するシステムにおいて、受信した符号化ストリームを復号処理することなく、監視画像の時間軸方向の変化（動き）の有無を検出し、変化が認められた場合には、以降受信する符号化ストリームをアラーム画像として記録可能な画像圧縮伸張装置を提供することにある。
【課題を解決するための手段】
【００１６】
上記目的を達成するために、本発明に係る画像圧縮伸張装置は、イントラ予測部と、動き補償予測部とを適応的に切替えて参照予測画像を生成する画像圧縮伸張装置において、所定単位時間内に生成される前記参照予測画像が上記どちらの予測部を用いて生成されたものかを示す識別フラグを累積し、その増減を予測選択情報として符号化ストリームのヘッダに付加して送信することを特徴とするものであり、次のような構成を有している。
【００１７】
本発明に係る画像圧縮伸張装置では、送信側における符号化部は、映像データをマクロブロックに分割するマクロブロック分割部と、上記マクロブロックに分割された映像データと予測画像信号との差分画像を直交変換する直交変換部と、上記直交変換された差分画像を符号化する符号化部と、上記直交変換された差分画像を逆直交変換する逆直交変換部と、上記逆直交変換部の出力と上記予測画像信号とを加算し復号画像を生成する加算部と、上記加算部の出力から上記予測画像信号を生成するイントラ予測部とを有し、上記イントラ予測部は、上記復号画像データから複数の予測画像信号を生成し、上記マクロブロックに分割された映像データに基づいて所定の予測画像信号を選択する予測モード選択部および、上記復号画像データを上記複数の画素ブロック分割部のいずれの画素ブロック分割部に供給するかを制御する切替え部を有するように構成されている。
【００１８】
また、図１に示すように符号化部１００は、動き補償予測部１３および動き検出部１６を有し、上記動き検出部１６は、図５に示すように、上記マクロブロックに分割された映像データを複数の画素ブロックに分割する複数の画素ブロック分割部１３１〜１３７と、上記複数の画素ブロックに分割された画素ブロックと上記復号画像データとを比較し、所定の予測画像信号を探索する動きベクトル探索部１３８および、上記動きベクトル探索部の出力を選択する動き最適予測画像信号選択部１３９を有し、上記動き補償予測部１３は、上記予測画像信号選択部の出力に基づいて上記復号画像データから上記所定の予測画像信号を出力するように、構成される。
【００１９】
さらに、符号化部１００は、所定単位時間内に予測モード選択部１０６から出力される参照予測画像が、上記どちらの予測部を使って生成されたものかを示す識別フラグを累積し、その増減を予測選択情報として出力する予測モード累積部１０４を有し、上記予測選択情報を圧縮符号化ストリームのヘッダに付加して送信する機能を有する可変長符号化部７に出力するように構成される。
【００２０】
一方、本発明に係る画像圧縮伸張装置の受信側における復号化部は、図２に示すように入力端子１２０で受信した圧縮符号化ストリームをバッファリングする受信バッファ２０と、受信バッファでバッファリングされた圧縮符号化ストリームからストリームヘッダを抽出し解析を行うヘッダ抽出解析部１０５と、上記ヘッダを取り除いた符号化ストリームに対し復号処理を行う可変長復号化部２２と、上記可変長復号化処理された予測差分画像信号PΔＶ１を逆量子化する逆量子化部８と、その結果を逆直交変換する逆直交変換部９と、上記逆直交変換部９の出力と後述する予測モード選択部から出力される予測画像信号を加算し復号画像信号を生成する加算部１０と、上記加算部の出力から上記予測画像信号を生成するイントラ予測部１４と、デブロッキングフィルタ部でフィルタリングしたマクロブロック単位の上記復号画像信号を、記憶部の参照ピクチャバッファにてバッファリングし、規格で定められた所定のブロックサイズごとに、動きベクトルの探索を行い予測画像の生成を行う動き補償予測部を有する。これら、イントラ予測部１４と動き補償予測部１３の切替えは、上記ヘッダ抽出解析部１０５から出力される予測モードに従って行われる。
【００２１】
さらに、上記構成に加え、所定単位時間内に予測モード選択部１５を切替えて生成される参照予測画像のうちイントラ予測部を使って生成される参照予測画像と動き補償とを使って生成される参照予測画像の生成割合比を算出する予測モード情報蓄積部１０６を有し、例えば、上記イントラ予測部１４による生成参照予測画像の割合比が急激に増加し、予め設定しておいた割合比を超えた場合には、上記予測モード情報蓄積部からアラーム検知部に対し、アラーム信号を発し、アラーム信号を受けたアラーム検知部は、それ以降に受信する符号化ストリームをアラーム画像として、アラーム画像記録部２５に記録を開始させる構成とする。
【発明の効果】
【００２２】
本発明によれば、圧縮符号化ストリームのままの状態で、入力側の監視画像の変化を受信側で直ぐに検知可能となる。
【図面の簡単な説明】
【００２３】
【図１】本発明におけるＨ。２６４符号化部の実施例のブロック図。
【図２】本発明の圧縮伸張装置におけるＨ．２６４復号化部を説明する為のブロック図。
【図３】従来のＨ．２６４符号化部を説明する為のブロック図。
【図４】従来のＨ．２６４符号化部を説明するためのブロック図。
【図５】Ｈ．２６４の復号化方式の動き検出部のブロック図。
【発明を実施するための形態】
【実施例】
【００２４】
本発明を説明する前に、H．２６４符号化方式の従来例について図３、図４を用いて説明する。図３、図４は、H．２６４符号化部を説明するためのブロック図である。
【００２５】
はじめに、H．２６４符号化部について説明する。図３において、１０２は符号化部であり、１は入力端子である。この入力端子には、カメラ等で撮像された監視映像が入力され、輝度信号成分Yと２種類の色差信号成分CbとCrの映像データが、分離され入力される。これら入力された輝度信号成分Ｙと２種類の色差信号成分ＣｂとＣｒの映像データはＭＢ分割部３でＭＢ（マクロブロック）１６×１６画素ブロックの輝度信号Ｙと８×８画素ブロックの色差信号ＣｂとＣｒをそれぞれ、マクロブロック単位の符号化対象信号ＭＢＳに変換する。輝度信号成分Ｙと２種類の色差信号成分ＣｂとＣｒの映像データは、ＭＢ分割部３でＭＢ１６×１６画素ブロックの輝度信号Ｙとマクロブロック単位の符号化対象信号ＭＢＳに変換する。これらマクロブロック単位の符号化対象信号ＭＢＳは、減算部４で後述する予測画像信号ＰＶと減算され、予測差分画像信号ＰΔＶ１が直交変換部５に供給される。
【００２６】
なお、入力映像データは１６×１６画素ブロックの輝度信号Ｙと８×８画素ブロックの色差信号ＣｂとＣｒそれぞれのマクロブロック単位のＭＢＳは、説明を簡単にするために以下の説明では１６×１６画素ブロックの輝度信号Ｙのみを符号化対象として説明する。
【００２７】
直交変換部５では水平、垂直方向の画像輝度データを水平方向、垂直方向の周波数スペクトルに変換するものであり、空間周波数スペクトルに変換された映像データを量子化部６で量子化する。量子化部６では、人の視覚特性が高周波成分に鈍感である特性を利用し、高周波成分側と低周波成分側とで量子化の荒さを変え、データ量の削減を行っている。量子化部６で量子化された映像データは、可変長符号化部７に供給される。
【００２８】
可変長符号化部７では、量子化部６で量子化されたデータを符号化し、マクロブロック単位の符号化対象信号ＭＢＳは、符号量を減少させることができ、画像データの圧縮が行われ、出力端子２から次段の信号処理装置へと伝達される。
【００２９】
一方、量子化部６からの空間周波数スペクトルに変換された映像データは、逆量子化部８で輝度信号Ｙと色差信号ＣｂとＣｒの変換係数に対し逆量子化処理を行い、さらに後段の逆直交変換部９で再生予測差分信号ＰΔＶ２を復元し、加算部１０に出力される。加算部１０では、この再生予測信号ＰΔＶ２と後述する予測画像信号ＰＶを加算部１０で加算することにより、復号画像信号ＲＶを再生し、デブロッキングフィルタ部１１を介して記憶部１２に供給される。復号画像信号ＲＶはイントラ予測部１４、予測モード選択部１５を介して減算部４に供給され、減算部４では、前述した予測差分画像信号ＰΔＶ１が出力される。
【００３０】
次に、動き補償予測部１３と動き検出部１６について説明する。加算部１０からの復号画像信号ＲＶは、動き補償を行うためにブロックひずみを除去するデブロッキングフィルタ部１１で、ブロックひずみを除去された復号信号が記憶部１２に記憶される。この記憶部１２に記憶された復号画像信号ＲＶは、参照画像として動き補償予測部１３および動き検出部１６に供給される。
【００３１】
動き検出部１６では、符号化対象信号ＭＢＳを動き検索の対象とする１６×１６、１６×８、８×１６、８×８、８×４、４×８、４×４画素ブロックに分割し、各々のブロックに対し探索を行う。図５は、動き検出部１６の構成例を示すブロック図である。１３０は入力端子、１４０は出力端子、１３１は１６×１６ブロック分割部、１３２は１６×８ブロック分割部、１３３は８×１６ブロック分割部、１３４は８×８ブロック分割部、１３５は８×４ブロック分割部、１３６は４×８ブロック分割部、１３７は４×４ロック分割部、１３８は動きベクトル探索部である。例えば、１６×１６の符号化対象信号ＭＢＳは８×８画素ブロック部１３４では、４個のブロックに分割され、その４個のブロックについて参照画像と比較され一致するブロックあるいは類似するブロックを探索する。例えば、１６×１６の符号化対象信号ＭＢＳを中心として、縦横１６画素±１６画素の範囲を探索範囲とした場合には、分割した８×８画素のブロック探索範囲の中を順次画素単位に移動して一致するブロックあるいは最も類似するブロックを探索する。つまり、分割した８×８画素ブロックの各画素の輝度値と探索範囲の中の８×８画素ブロック中の各画素の輝度値との差分値を演算し、８×８のブロックの各画素の差分値が最小のものを選択する。このようにして、４個のブロックの全てについて探索を行う。上記のような方法で、動きベクトル探索部１３８では、それぞれの画素ブロック分割部１３１〜１３７での各画素ブロックごとに、最小の輝度の差分値が算出されるので、その出力が動き最適画像選択部１３９に供給される。つまり、動きベクトル探索部１３８で、それぞれ探索された7個のブロックが、動き最適画像選択部１３９に供給され、動き最適画像選択部１３９では、これら7個のブロックから最も差分値の小さい分割ブロックを最適予測画像信号として選択する。
【００３２】
動き最適画像選択部１３９の出力は、動き補償予測部１３および予測モード選択部１５に供給される。動き補償予測部１３では、動き最適画像選択部１３９の検出結果に基づいて最適予測画像信号が選択され、予測モード選択部１５を介して減算部４及び加算部１０に供給される。
【００３３】
予測モード選択部１５では、先に説明したように動き検出部１６の動きベクトル探索部１３８での差分値が前もって実験的に設定していた閾値よりも大きければ、探索範囲内に対象とする符号化対象信号ＭＢＳと一致するブロックあるいは、類似するブロックはないと判断し、この場合は、動き検出部１６から出力信号は出ないこととなる。つまり、不審物侵入などによりフレーム間に相関のない画像が監視映像として入力された時に、イントラ予測部１４が選択されやすい傾向にあり、この場合は先に説明したイントラ予測部１４の出力が予測モード選択部１５で選択され、減算部４および加算部１０に供給される。
【００３４】
また、不審物侵入がなく、背景を含め動きがほとんどない、或いは、あったとしても部分的な画像が監視映像として入力された時には、動き補償部１５が選択されやすい傾向にある。この場合は、動き検出部１６の動きベクトル探索部１３８で最も小さい差分値の小さい分割ブロックが選択され、予測モード選択部１５は動き補償予測部１３の出力を選択し、減算部４および加算部１０に供給する。なお、上記説明は、輝度信号Ｙについてのみ説明したが、色差信号については、４×４の固定画素に分割する場合を除き、輝度信号と同様の処理を行っているので、詳細な説明は省略する。
【００３５】
次に、本発明に係る画像圧縮伸張装置における符号化部の一実施例について説明する。
【００３６】
図１は、本発明におけるＨ．２６４符号化部の実施例のブロック図である。図１において、参照符号１００は、符号化部を示し、１０６は予測モード選択部であり、１０４は予測モード累積部である。図３と共通のブロックには、同じ参照符号を付してある。
【００３７】
ここで、図１に示す本発明の基本的な原理について説明する。Ｈ．２６４符号化方式における予測モード選択部１５の動作については、上記図３で説明した通りであり、予測モード選択部１５の出力は、入力画像によって適応的に切換わり、例えば、動き検出部１６の動きベクトル探索部１３８での差分値が前もって実験的に設定して閾値よりも大きい場合には、探索範囲内に対象とする符号化対象信号ＭＢＳと一致するあるいは、類似するブロックはないと判断し、イントラ予測部１４の出力が選択され、減算部４及び加算部１０に供給する。また逆に、動き検出部１６の動きベクトル探索部１３８で最も小さい差分値の小さい分割ブロックが選択された場合には、動き補償予測部１３の出力を選択し、減算部４及び加算部１０に供給する。
【００３８】
但し、映像遮断などの伝送トラブルによりエラーが発生した場合でも、エラー伝播を食い止め復帰できるように、周期的にイントラ予測部の出力を選択しなければならないことが規格上決まっており、この周期的な動作をリフレッシュと呼ぶ。
【００３９】
そこで、本発明では、例えば、監視被写体が通常は人や生物の出入りが禁じられた立ち入り禁止区域である場合、侵入物体がなく、前後のフレームで大きな画像変化がないと、符号化装置における予測モード選択部１５は、動き検出部１６の動きベクトル探索部１３８での差分値が前もって実験的に設定していた閾値以内に収まるため、探索範囲内に対象とする符号化対象信号ＭＢＳと一致するブロック或いは類似するブロックがあると判断し、動き検出部１６から出力信号を出し、動き補償予測部１３の出力が選択され、一方、立ち入り禁止区域にも関わらず、何らかの侵入物体があった場合には、符号化装置における予測モード選択部１５は、動き検出部１６の動きベクトル探索部１３８での差分値が前もって実験的に設定していた閾値を超え、探索範囲内に対象とする符号化対象信号ＭＢＳと一致するブロック、或いは類似するブロックがないと判断し、動き検出部１６から出力信号を止め、イントラ予測部１４の出力が選択される傾向のある予測モード選択部１５の動作に着目して、本発明の画像圧縮伸張装置では上記リフレッシュレートを所定単位時間とし、この間に予測モード選択部１５が選択するイントラ予測部と動き補償予測部を使って生成される予測参照画像の占める生成割合比率を上記予測モード累積部１０４で算出し、イントラ予測部を使った生成参照画像の占める割合比が急激に増減し、予め設定しておいた割合比を超えた場合には、監視被写体に何らかの変化があったものと判断し、予測選択情報を可変長符号化部７へ送り、ユーザーが使用可能な符号化ストリームヘッダのユーザー領域に付加して、受信側の複号化部へ送るようにする。
【００４０】
次に、図４を用いてＨ．２６４の復号化部１０３（従来例）について説明した後に、本発明における受信側復号化部の一実施例を、図２を用いて説明する。
【００４１】
１２０は、受信側における圧縮符号化ストリームを受信する入力端子である。受信した圧縮符号化ストリームをバッファリングする受信バッファ２０と、受信バッファ２０でバッファリングされた圧縮符号化ストリームからストリームヘッダを抽出し解析を行うヘッダ抽出解析部２１と、上記ヘッダを取り除いた符号化ストリームに対し復号処理を行う可変長復号化部２２と、上記可変長復号化処理された予測差分画像信号を逆量子化する逆量子化部８と、その結果を逆直交変換する逆直交変換部９と、上記逆直交変換部の出力と、後述する予測モード選択部１５から出力される予測画像信号ＰＶを加算し復号画像信号ＲＶを生成する加算部１０と上記加算部１０の出力から上記予測画像信号ＰＶを生成するイントラ予測部１４と、デブロッキングフィルタ部１１で、フィルタリングしたマクロブロック単位の上記復号画像信号を、記憶部の参照ピクチャバッファにてバッファリングし、上記符号化部における動き検出部１６と同様に所定のブロックサイズごとに、動きベクトルの探索を行う動き検出部１６と、動き検出部１６の出力に従い予測画像の生成を行う動き補償予測部１３を有する。
【００４２】
また、上記復号画像信号ＲＶはスキャン変換部２３にも出力され、マクロブロックをラインスキャンにスキャン変更したのち、モニタ出力部２４を通して所定のフォーマットに戻した復号化ストリームが出力端子２７から出力される。従来の遠隔監視者は、上記復号化ストリームを目視確認し、何らかの問題を発見した時には、アラーム検知部２６よりアラームを出し、アラーム画像記録部に記録し、監視画像を保存している。なお、図4において、送信側の符号化部１０２（図３）と同一の機能のものには同じ参照符号を付してある。次に、本発明の復号化部の特徴となるブロックについて本発明の一実施例である図２を用いて説明する。
【００４３】
該当ブロックは、ヘッダ抽出解析部１０５、予測モード情報蓄積部１０６、アラーム検知部２６とアラーム画像記録部２５である。（図４と同じものには同じ参照符号を付してある）上記のように、送信側から送られてくる圧縮符号化ストリームは、入力端子１２０で受信されたのち、受信バッファ２０を介し、ヘッダ抽出解析部１０５に入力される。ヘッダ抽出解析部１０５では、上記送信側の可変長符号化部７で付加された予測選択情報を、符号化ストリームヘッダのユーザー領域から抽出し、解析を行い、抽出した予測選択情報を予測モード情報蓄積部１０６に送る。予測モード情報蓄積部１０６では、予測選択情報を累積し、リフレッシュ間隔毎の増減を予め設定してあった閾値レベルを超えるかどうか判定を行い、閾値レベルを超えた場合、すなわちイントラ予測部１４を使った生成参照画像が続き、大半を占める場合には、送信側の監視モニタ画像に何らかのイベントが発生したと判断し、アラーム検知部１０７に対し、アラーム信号を発する。
【００４４】
アラーム検知部１０７では、アラーム信号を受けると、その受信頻度に従い、以降受信する符号化ストリームをアラーム画像として、アラーム画像記録部１０８に記録開始するアラームトリガ信号を出力するように構成される。アラーム画像記録部108では、上記アラームトリガ信号に従い、ヘッダ抽出解析部１０５から出力される符号化ストリームを復号することなく記録し始める。
以上説明したように、本発明の符号化装置では、上記リフレッシュレートを所定単位時間とし、この間に予測モード選択部１０６が選択するイントラ予測部と動き補償予測部を使って生成される予測参照画像の閉める割合比を超えた場合には、監視被写体に何らかの変化があったものと判断し、予測選択情報を可変長符号化部へ７へ送り、ユーザーが使用可能な符号化ストリームヘッダのユーザー領域に付加して、受信側の復号部へ送るようにする。
【００４５】
一方、受信側の復号化部では、圧縮ストリームのヘッダ情報の解析を行い、抽出した予測選択情報を予測モード情報蓄積部１０６に送る。予測モード情報蓄積部１０６では予測選択情報を累積し、リフレッシュ間隔の増減を予め設定してあった閾値レベルを超えるかどうか判定を行い、閾値レベルを超えた場合、すなわちイントラ予測部１４を使った生成参照画像が続き大半を占める場合には、送信側の監視モニタ画像に何らかのイベントが発生したと判断し、アラーム検知部１０７に対しアラーム信号を発する構成である。
【産業上の利用可能性】
【００４６】
本発明は画像圧縮伸張装置に利用できる。
【符号の説明】
【００４７】
１，１２０…入力端子、２…出力端子、３…MB分割部、４…減算部、５…直交変換部、６…量子化部、７…可変長符号化部、８…逆量子化部、９…逆直交変換部、１０…加算部、１１…デブロッキングフィルタ部、１２…参照ピクチャバッファ、１３…動き補償予測部、１４…イントラ予測部、１５，１０６…予測モード選択部、１６…動き検出部、２０…受信バッファ、２２…可変長復号化部、２３…スキャン変換部、２４…モニタ出力部、
１０８…アラーム画像記録部、２６…アラーム検知部、１０４…予測モード累積部、
１００，１０２…符号化部、１０１，１０３…復号化部、PV…予測画像信号、
ＰΔＶ１…予測差分画像信号、PΔV２…再生予測差分信号、
ＲＶ…復号画像信号、１０５…へッダ抽出解析部。
【図１】
2010166489.tif 000003
【図２】
2010166489.tif 000004
【図３】
2010166489.tif 000005
【図４】
2010166489.tif 000006
【図５】
2010166489.tif 000007